(57)【要約】【課題】携帯電話および固定電話のユーザの利便性が向上する通信システムを提供する。【解決手段】通信システムが実行する処理は、第１携帯電話と第１固定電話とが、Bluetooth（登録商標）その他の無線通信規格に基づいて無線接続を行なうステップ（Ｓ７１０）と、第１携帯電話から発信される電話番号が第１携帯電話の電話帳に既に登録されている場合において（ステップＳ７２０にてＹＥＳ）、当該電話番号に一致した番号が第１固定電話に登録されている場合に（ステップＳ７３５にてＹＥＳ）、第１固定電話から発信するステップ（Ｓ７５０）とを含む。【選択図】図７
2014007557.tif 000002
【特許請求の範囲】
【請求項１】
携帯通信端末であって、
移動体通信網を介して他の通信装置と通信するための通信手段と、
１つ以上の他の通信端末または１つ以上の固定電話と直接通信するための通信手段と、
電話帳を格納するための記憶手段と、
前記携帯通信端末に対する指示を受け付ける入力手段と、
表示装置と、
前記携帯通信端末を制御するための制御手段とを備え、
前記制御手段は、
発呼の指示に基づいて、前記通信手段を介して、前記携帯通信端末との通信リンクが形成された前記１つ以上の固定電話のうちの第１の固定電話に前記発呼先の電話番号を送信し、
前記電話番号が前記第１の固定電話に登録されている場合には、前記電話番号による発呼を前記第１の固定電話に行なわせ、
前記電話番号が前記第１の固定電話に登録されていない場合には、前記電話番号が前記１つ以上の固定電話のうちの残りの固定電話または前記１つ以上の他の通信端末に登録されているか否かを前記通信手段を介して前記残りの固定電話または前記１つ以上の他の通信端末に問い合わせ、前記電話番号が前記残りの固定電話または前記１つ以上の他の通信端末に登録されている場合には、前記電話番号による発呼を前記１つ以上の固定電話のいずれかに行なわせるように構成されている、携帯通信端末。
【請求項２】
前記電話番号が前記第１の固定電話に登録されていない場合において、前記制御手段は、前記第１の固定電話に対して、前記電話番号が前記１つ以上の固定電話のうちの残りの固定電話に登録されているか否かの問い合わせを行ない、
前記通信手段は、前記問い合わせに対する回答として、前記電話番号が登録されている固定電話を識別する固定電話識別データを受けると、前記固定電話識別データに基づいて前記電話番号が登録されている固定電話との通信を形成し、
前記制御手段は、前記電話番号が登録されている固定電話に、前記電話番号による発呼を行わせるように構成されている、請求項１に記載の携帯通信端末。
【請求項３】
前記電話番号が前記第１の固定電話に登録されていない場合において、前記制御手段は、前記１つ以上の他の通信端末に対して、前記電話番号が前記１つ以上の他の通信端末のうちのいずれかに登録されているか否かの問い合わせを行ない、
前記通信手段は、前記問い合わせに対する回答として、前記電話番号が登録されている通信端末を特定する端末識別データを受けると、前記端末識別データによって特定される通信端末にリンクしている固定電話に、前記電話番号が登録されているか否かを問い合わせ、前記電話番号が前記通信端末にリンクしている前記固定電話に登録されている場合に、前記電話番号による発呼を行わせるように構成されている、請求項１に記載の携帯通信端末。
【請求項４】
前記携帯通信端末と前記１つ以上の他の通信端末との間で電話番号が登録されているか否かの問い合わせが許可されている場合に、前記制御手段は、前記１つ以上の他の通信端末に対して、前記問い合わせを行なうように構成されている、請求項３に記載の携帯通信端末。
【請求項５】
前記電話番号が前記１つ以上の他の通信端末に登録されていない場合には、前記制御手段は、前記携帯通信端末および前記１つ以上の他の通信端末に前記電話番号が登録されていない旨を前記表示装置に表示するように構成されている、請求項１〜４のいずれかに記載の携帯通信端末。
【請求項６】
通信システムであって、
１つ以上の携帯通信端末と１つ以上の固定電話とを備え、
前記１つ以上の携帯通信端末のうちの第１の携帯通信端末は、
移動体通信網を介して他の通信装置と通信するための通信手段と、
前記１つ以上の他の携帯通信端末の残りの携帯通信端末または前記１つ以上の固定電話と直接通信するための通信手段と、
電話帳を格納するための記憶手段と、
前記第１の携帯通信端末に対する指示を受け付ける入力手段と、
表示装置と、
前記第１の携帯通信端末を制御するための制御手段とを備え、
前記制御手段は、
発呼の指示に基づいて、前記通信手段を介して、前記第１の携帯通信端末との通信リンクが形成された前記１つ以上の固定電話のうちの第１の固定電話に前記発呼先の電話番号を送信し、
前記電話番号が前記第１の固定電話に登録されている場合には、前記電話番号による発呼を前記第１の固定電話に行なわせ、
前記電話番号が前記第１の固定電話に登録されていない場合には、前記電話番号が前記１つ以上の固定電話のうちの残りの固定電話または前記残りの携帯通信端末に登録されているか否かを前記通信手段を介して前記残りの固定電話または前記残りの携帯通信端末に問い合わせ、前記電話番号が前記残りの固定電話または前記残りの携帯通信端末に登録されている場合には、前記電話番号による発呼を前記１つ以上の固定電話のいずれかに行なわせるように構成されている、通信システム。
【請求項７】
携帯通信端末を制御するための方法であって、
前記携帯通信端末は、移動体通信網を介して他の通信装置と通信するための通信装置と、１つ以上の他の通信端末または１つ以上の固定電話と直接通信するための通信装置と、電話帳を格納するためのメモリと、前記携帯通信端末に対する命令の入力を受け付ける入力スイッチと、表示装置と、前記携帯通信端末を制御するための制御装置とを備えており、
前記方法は、
前記制御装置が、発呼の指示に基づいて、前記通信装置を介して、前記携帯通信端末との通信リンクが形成された前記１つ以上の固定電話のうちの第１の固定電話に前記発呼先の電話番号を送信するステップと、
前記電話番号が前記第１の固定電話に登録されている場合に、前記制御装置が、前記電話番号による発呼を前記第１の固定電話に行なわせるステップと、
前記電話番号が前記第１の固定電話に登録されていない場合に、前記電話番号が前記１つ以上の固定電話のうちの残りの固定電話または前記１つ以上の他の通信端末に登録されているか否かを前記通信装置を介して前記残りの固定電話または前記１つ以上の他の通信端末に問い合わせ、前記電話番号が前記残りの固定電話または前記１つ以上の他の通信端末に登録されている場合には、前記電話番号による発呼を前記１つ以上の固定電話のいずれかに行なわせるステップとを含む、携帯通信端末を制御するための方法。
【請求項８】
携帯通信端末を制御するためのプログラムであって、
前記携帯通信端末は、移動体通信網を介して他の通信装置と通信するための通信装置と、１つ以上の他の通信端末または１つ以上の固定電話と直接通信するための通信装置と、電話帳を格納するためのメモリと、前記携帯通信端末に対する命令の入力を受け付ける入力スイッチと、表示装置と、前記携帯通信端末を制御するための制御装置とを備えており、
前記プログラムは、前記制御装置に、
発呼の指示に基づいて、前記通信装置を介して、前記携帯通信端末との通信リンクが形成された前記１つ以上の固定電話のうちの第１の固定電話に前記発呼先の電話番号を送信するステップと、
前記電話番号が前記第１の固定電話に登録されている場合に、前記電話番号による発呼を前記第１の固定電話に行なわせるステップと、
前記電話番号が前記第１の固定電話に登録されていない場合に、前記電話番号が前記１つ以上の固定電話のうちの残りの固定電話または前記１つ以上の他の通信端末に登録されているか否かを前記通信装置を介して前記残りの固定電話または前記１つ以上の他の通信端末に問い合わせ、前記電話番号が前記残りの固定電話または前記１つ以上の他の通信端末に登録されている場合には、前記電話番号による発呼を前記１つ以上の固定電話のいずれかに行なわせるステップとを実行させる、プログラム。
【発明の詳細な説明】
【技術分野】
【０００１】
本発明は、通信システムの制御に関し、より特定的には、携帯通信端末と固定電話との通信の制御に関する。
【背景技術】
【０００２】
携帯電話、スマートフォンその他の携帯通信端末と固定電話がBluetooth（登録商標）等の無線で接続し、固定電話を使って携帯電話回線で発信する技術が知られている。
【０００３】
また、携帯電話を用いた転送に関し、たとえば、特開２００７−８１４９８号公報（特許文献１）は、「運転中の着信に対し、運転への集中力を低下させず安全性を向上させることができる中継機能を備えた携帯通信端末」を開示している（［要約］）。
【０００４】
特開２００６−３３９８１４号公報（特許文献２）は、「家庭や職場等に無線で接続された親機と子機からなる電話装置と携帯端末がある環境で、携帯端末と固定電話との両者の利点を共有できる電話装置」を開示している（［要約］参照）。
【先行技術文献】
【特許文献】
【０００５】
【特許文献１】特開２００７−８１４９８号公報
【特許文献２】特開２００６−３３９８１４号公報
【発明の概要】
【発明が解決しようとする課題】
【０００６】
しかしながら、固定電話を使って携帯電話回線で発信する技術によると、ユーザが、携帯電話の回線を使うか、固定電話の回線を使うかを、発信前に予め手動で選択しないといけない。そのため、固定電話と携帯電話回線とを併用するユーザにとっては利便性がよくない場合がある。したがって、利便性が向上し得る技術が必要とされている。
【０００７】
本発明は、上述のような問題点を解決するためになされたものであって、ある局面における目的は、固定電話との併用において利便性が向上する携帯通信端末を提供することである。
【０００８】
他の局面における目的は、固定電話との併用において利便性が向上する携帯通信端末を用いた通信方法を提供することである。
【０００９】
さらに他の局面における目的は、固定電話との併用において利便性を向上させるために携帯通信端末を制御するためのプログラムを提供することである。
【課題を解決するための手段】
【００１０】
一実施の形態に従う携帯通信端末は、移動体通信網を介して他の通信装置と通信するための通信手段と、１つ以上の他の通信端末または１つ以上の固定電話と直接通信するための通信手段と、電話帳を格納するための記憶手段と、携帯通信端末に対する指示を受け付ける入力手段と、表示装置と、携帯通信端末を制御するための制御手段とを備える。制御手段は、発呼の指示に基づいて、通信手段を介して、携帯通信端末との通信リンクが形成された１つ以上の固定電話のうちの第１の固定電話に発呼先の電話番号を送信し、電話番号が第１の固定電話に登録されている場合には、電話番号による発呼を第１の固定電話に行なわせ、電話番号が第１の固定電話に登録されていない場合には、電話番号が１つ以上の固定電話のうちの残りの固定電話または１つ以上の他の通信端末に登録されているか否かを通信手段を介して残りの固定電話または１つ以上の他の通信端末に問い合わせ、電話番号が残りの固定電話または１つ以上の他の通信端末に登録されている場合には、電話番号による発呼を１つ以上の固定電話のいずれかに行なわせるように構成されている。
【００１１】
好ましくは、電話番号が第１の固定電話に登録されていない場合において、制御手段は、第１の固定電話に対して、電話番号が１つ以上の固定電話のうちの残りの固定電話に登録されているか否かの問い合わせを行なう。通信手段は、問い合わせに対する回答として、電話番号が登録されている固定電話を識別する固定電話識別データを受けると、固定電話識別データに基づいて電話番号が登録されている固定電話との通信を形成する。制御手段は、電話番号が登録されている固定電話に、電話番号による発呼を行わせるように構成されている。
【００１２】
好ましくは、電話番号が第１の固定電話に登録されていない場合において、制御手段は、１つ以上の他の通信端末に対して、電話番号が１つ以上の他の通信端末のうちのいずれかに登録されているか否かの問い合わせを行なう。通信手段は、問い合わせに対する回答として、電話番号が登録されている通信端末を特定する端末識別データを受けると、端末識別データによって特定される通信端末にリンクしている固定電話に、電話番号が登録されているか否かを問い合わせ、電話番号が通信端末にリンクしている固定電話に登録されている場合に、電話番号による発呼を行わせるように構成されている。
【００１３】
好ましくは、携帯通信端末と１つ以上の他の通信端末との間で電話番号が登録されているか否かの問い合わせが許可されている場合に、制御手段は、１つ以上の他の通信端末に対して、問い合わせを行なうように構成されている。
【００１４】
好ましくは、電話番号が１つ以上の他の通信端末に登録されていない場合には、制御手段は、携帯通信端末および１つ以上の他の通信端末に電話番号が登録されていない旨を表示装置に表示するように構成されている。
【００１５】
他の実施の形態に従う通信システムは、１つ以上の携帯通信端末と１つ以上の固定電話とを備える。１つ以上の携帯通信端末のうちの第１の携帯通信端末は、移動体通信網を介して他の通信装置と通信するための通信手段と、１つ以上の他の携帯通信端末の残りの携帯通信端末または１つ以上の固定電話と直接通信するための通信手段と、電話帳を格納するための記憶手段と、第１の携帯通信端末に対する指示を受け付ける入力手段と、表示装置と、第１の携帯通信端末を制御するための制御手段とを備える。制御手段は、発呼の指示に基づいて、通信手段を介して、第１の携帯通信端末との通信リンクが形成された１つ以上の固定電話のうちの第１の固定電話に発呼先の電話番号を送信し、電話番号が第１の固定電話に登録されている場合には、電話番号による発呼を第１の固定電話に行なわせ、電話番号が第１の固定電話に登録されていない場合には、電話番号が１つ以上の固定電話のうちの残りの固定電話または残りの携帯通信端末に登録されているか否かを通信手段を介して残りの固定電話または残りの携帯通信端末に問い合わせ、電話番号が残りの固定電話または残りの携帯通信端末に登録されている場合には、電話番号による発呼を１つ以上の固定電話のいずれかに行なわせるように構成されている。
【００１６】
他の実施の形態に従うと、携帯通信端末を制御するための方法が提供される。携帯通信端末は、移動体通信網を介して他の通信装置と通信するための通信装置と、１つ以上の他の通信端末または１つ以上の固定電話と直接通信するための通信装置と、電話帳を格納するためのメモリと、携帯通信端末に対する命令の入力を受け付ける入力スイッチと、表示装置と、携帯通信端末を制御するための制御装置とを備えている。この方法は、制御装置が、発呼の指示に基づいて、通信装置を介して、携帯通信端末との通信リンクが形成された１つ以上の固定電話のうちの第１の固定電話に発呼先の電話番号を送信するステップと、電話番号が第１の固定電話に登録されている場合に、制御装置が、電話番号による発呼を第１の固定電話に行なわせるステップと、電話番号が第１の固定電話に登録されていない場合に、電話番号が１つ以上の固定電話のうちの残りの固定電話または１つ以上の他の通信端末に登録されているか否かを通信装置を介して残りの固定電話または１つ以上の他の通信端末に問い合わせ、電話番号が残りの固定電話または１つ以上の他の通信端末に登録されている場合には、電話番号による発呼を１つ以上の固定電話のいずれかに行なわせるステップとを含む。
【００１７】
さらに他の実施の形態に従うと、携帯通信端末を制御するためのプログラムが提供される。携帯通信端末は、移動体通信網を介して他の通信装置と通信するための通信装置と、１つ以上の他の通信端末または１つ以上の固定電話と直接通信するための通信装置と、電話帳を格納するためのメモリと、携帯通信端末に対する命令の入力を受け付ける入力スイッチと、表示装置と、携帯通信端末を制御するための制御装置とを備えている。プログラムは、制御装置に、発呼の指示に基づいて、通信装置を介して、携帯通信端末との通信リンクが形成された１つ以上の固定電話のうちの第１の固定電話に発呼先の電話番号を送信するステップと、電話番号が第１の固定電話に登録されている場合に、電話番号による発呼を第１の固定電話に行なわせるステップと、電話番号が第１の固定電話に登録されていない場合に、電話番号が１つ以上の固定電話のうちの残りの固定電話または１つ以上の他の通信端末に登録されているか否かを通信装置を介して残りの固定電話または１つ以上の他の通信端末に問い合わせ、電話番号が残りの固定電話または１つ以上の他の通信端末に登録されている場合には、電話番号による発呼を１つ以上の固定電話のいずれかに行なわせるステップとを実行させる。
【００１８】
ある局面において、ユーザは、固定電話回線を予め選択することなく携帯電話を用いて発信することができるので、利便性が向上し得る。
【００１９】
この発明の上記および他の目的、特徴、局面および利点は、添付の図面と関連して理解されるこの発明に関する次の詳細な説明から明らかとなるであろう。
【図面の簡単な説明】
【００２０】
【図１】通信システム１０の構成を表わす図である。
【図２】携帯電話１００のハードウェア構成を表わすブロック図である。
【図３】固定電話１１０のハードウェア構成を表わすブロック図である。
【図４】携帯電話１００が備えるデータ記憶部２１３におけるデータの格納の一態様を概念的に表わす図である。
【図５】固定電話１１０が備えるデータ記憶部３１４におけるデータの格納の一態様を概念的に表わす図である。
【図６】複数の携帯電話が１つの固定電話と無線通信可能に構成されている場合を表わす図である。
【図７】第１携帯電話１０１と第１固定電話１１１が実行する処理の一部を表わすフローチャートである。
【図８】複数の固定電話が通信システム１０に用いられる場合における処理を表わすフローチャートである。
【図９】ＬＣＤ２１７における画面の切り換わりを表わす図である。
【発明を実施するための形態】
【００２１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２２】
図１を参照して本実施の形態に係る通信システム１０について説明する。図１は、通信システム１０の構成を表わす図である。通信システム１０は、たとえば、第１携帯電話１０１と、第２携帯電話１０２と、第３携帯電話１０３と、第１固定電話１１１と、第２固定電話１１２と、第３固定電話１１３とを備える。第１携帯電話１０１と第２携帯電話１０２と第３携帯電話１０３とは、総称するときは、携帯電話１００と表わす。第１固定電話１１１と第２固定電話１１２と第３固定電話１１３とは、総称するときは、固定電話１１０と表わす。
【００２３】
ある局面において、第１携帯電話１０１は、第２携帯電話１０２または第３携帯電話１０３と無線通信できるように構成されている。無線通信は、たとえばBluetoothその他の無線通信技術によって実現される。無線通信の態様は、たとえば、移動体通信回線を用いた通信、および、いわゆる近距離無線通信のいずれであってもよい。第１携帯電話１０１は、さらに、第１固定電話１１１にリンクされている。第１携帯電話１０１と第１固定電話１１１とのリンクも、同様に、たとえばBluetoothその他の無線通信技術によって実現される。第１固定電話１１１は、第２固定電話１１２および第３固定電話１１３にそれぞれリンクされている。このリンクも、同様にBluetoothなどによって実現される。固定電話１１０は、それぞれ固定電話回線に接続されている。携帯電話１００は、移動体通信網に接続されている。
【００２４】
［ハードウェア構成］
図２を参照して、本実施の形態に係る携帯電話１００の構成について説明する。図２は、携帯電話１００のハードウェア構成を表わすブロック図である。
【００２５】
携帯電話１００は、主制御装置２１０と、ＲＡＭ（Random  Access  Memory）１１１と、ＲＯＭ（Read  Only  Memory）２１２と、データ記憶部２１３と、スピーカ２１４と、マイク２１５と、表示処理部２１６と、操作部２１９と、音声コーデック２２１と、角速度センサ２２２と、加速度センサ２２３と、無線通信制御部２２４と、画像コーデック２２５と、メモリカード制御部２２６と、無線制御部２２７と、充電制御部２２８とを備える。表示処理部２１６は、ＬＣＤ（Liquid  Crystal  Display）２１７と、バックライト２１８とを含む。操作部２１９は、キー制御部２２０を含む。各構成要素は、それぞれ、バス２３０によって接続されている。
【００２６】
主制御装置２１０は、携帯電話１００に対して動作を実行させるために命令を実行する。主制御装置２１０は、たとえば、ＣＰＵその他のプロセッサとして実現される。
【００２７】
ＲＡＭ２１１は、主制御装置２１０によって生成されたデータまたは携帯電話１００に対して与えられたデータを一時的に保持する。
【００２８】
ＲＯＭ２１２は、主制御装置２１０が実行するために携帯電話１００の製造事業者によって予め生成されたプログラムまたはデータを不揮発的に保持している。
【００２９】
データ記憶部２１３は、携帯電話１００のユーザによって与えられたデータまたは主制御装置２１０によって生成されたデータを不揮発的に保持する。データ記憶部２１３は、たとえばフラッシュメモリとして、あるいはメモリカードその他の着脱可能なデータ記録媒体として実現される。
【００３０】
スピーカ２１４は、主制御装置２１０から送られる信号に基づいて音声を出力する。マイク２１５は、携帯電話１００に対して与えられる発話に基づいて音声信号を生成する。当該音声信号は、無線通信制御部２２４または無線制御部２２７を介して他の通信装置に伝送される。
【００３１】
表示処理部２１６は、携帯電話１００における画像（たとえば電話番号その他の電話帳の情報）の表示の処理を実行する。具体的には、ＬＣＤ２１７は、バックライト２１８によって供給される光を用いて画面を表示し、携帯電話１００の動作時に電話番号、発信相手その他の情報を表示する。他の局面において、ＬＣＤ２１７は、携帯電話１００のユーザに通知するためのメッセージ（たとえば、警告メッセージ、確認メッセージ等）を表示する。
【００３２】
操作部２１９は、携帯電話１００のユーザに対する操作を受け付けて、その操作に応じた信号を主制御装置２１０に送信する。より具体的には、キー制御部２２０は、携帯電話１００に対するキー操作に基づいて指定された処理の実行を制御する。
【００３３】
音声コーデック２２１は、マイク２１５によって取得された音声を符号化して主制御装置２１０に出力する。また、音声コーデック２２１は、主制御装置２１０から送られる信号を復号して、復号によって得られた信号に基づく音声をスピーカ２１４に出力する。
【００３４】
角速度センサ２２２は、携帯電話１００の角速度を検出し、検出信号を主制御装置２１０に対して出力する。
【００３５】
加速度センサ２２３は、携帯電話１００に対する加速度を検出し、検出結果を示す信号を主制御装置２１０に送出する。
【００３６】
無線通信制御部２２４は、移動体通信網の提供事業者によって提供される通信回線との接続を実現する。画像コーデック２２５は、データ記憶部２１３に格納されている画像データをＬＣＤ２１７に表示可能な形式に変換する。
【００３７】
メモリカード制御部２２６は、携帯電話１００に対して装着されるメモリカード（図示しない）に対してデータを書き込み、または当該メモリカードに格納されているデータを読み出してＲＡＭ２１１に書き込む。
【００３８】
無線制御部２２７は、たとえば、Bluetoothその他の無線通信を制御する。したがって、携帯電話１００は、他の携帯電話または固定電話１１０との間で無線基地局を介することなく、直接通信することができる。
【００３９】
充電制御部２２８は、携帯電話１００が備える二次電池（図示しない）に対する充電を制御する。
【００４０】
［固定電話１１０のハードウェア構成］
図３を参照して、固定電話１１０の構成について説明する。図３は、固定電話１１０のハードウェア構成を表わすブロック図である。
【００４１】
固定電話１１０は、主制御装置３１０と、フラッシュＲＯＭ３１１と、ＲＡＭ３１２と、ＲＯＭ３１３と、データ記憶部３１４と、スピーカ３１５と、無線通信部３１６と、電話制御装置３１８と、表示処理部３２１と、操作部３２４とを備える。無線通信部３１６は、携帯電話コマンド制御部３１７を含む。電話制御装置３１８は、音声制御部３１９と、信号制御部３２０とを含む。表示処理部３２１は、ＬＣＤ３２２と、バックライト３２３とを含む。操作部３２４は、キー制御部３２５を含む。  各構成要素は、バス３３０によって互いに接続されている。
【００４２】
主制御装置３１０は、固定電話１１０の動作を制御する。フラッシュＲＯＭ３１１は、固定電話１１０に対して予め規定された動作を実行させるために準備されたプログラムおよびデータを格納している。ＲＡＭ３１２は、固定電話１１０に対して与えられるデータまたは固定電話１１０によって生成されたデータを格納する。ＲＡＭ３１２に格納されるデータは、たとえば、携帯電話１００から送られる電話番号、固定電話１１０に対して与えられた電話番号、着信記録、発信記録などを含む。
【００４３】
ＲＯＭ３１３は、固定電話１１０に予め規定された処理を実行させるためのオペレーティングシステムまたはファームウェアを格納している。
【００４４】
データ記憶部３１４は、固定電話１１０のユーザによって与えられたデータを不揮発的に格納する。
【００４５】
スピーカ３１５は、主制御装置３１０の命令に基づいて、電話制御装置３１８から送られる音声信号に基づいて音声を出力する。
【００４６】
無線通信部３１６は、Bluetoothその他の無線通信規格に従って基地局を介することなく他の通信装置（たとえば携帯電話１００）と通信する。
【００４７】
携帯電話コマンド制御部３１７は、携帯電話１００から送られる信号からコマンドを抽出し、当該コマンドに応じた処理を実行する。たとえば、携帯電話コマンド制御部３１７は、携帯電話１００から送られる電話番号が固定電話１１０に登録されているか否かを確認し、その確認結果を携帯電話１００に送信する。
【００４８】
電話制御装置３１８は、電話回線３４０を介して固定電話１１０と他の通信装置との通信を制御する。より具体的には、音声制御部３１９は、固定電話１１０に対して与えられる発話に基づく音声信号を通信用の信号に変換し変換後の信号を電話回線３４０に送信する。他の局面において、音声制御部３１９は、電話回線３４０から送られる信号を音声信号に変換し、変換後の信号を主制御装置３１０に送出する。
【００４９】
信号制御部３２０は、固定電話１１０と電話回線３４０との間で伝送される信号の形式を変換しまたは信号の出力を調整する。
【００５０】
表示処理部３２１は、ＬＣＤ３２２に表示される画像の表示態様を調整する。たとえば、ＬＣＤ３２２は、バックライト３２３によって供給される光に基づいて電話番号、着信者または発信者その他の情報を表示する。
【００５１】
操作部３２４は、固定電話１１０に対する指示の入力を受け付ける。より具体的には、キー制御部３２５は、操作部３２４に対して与えられた指示に基づいて当該指示に応じた信号を主制御装置３１０に送信する。
【００５２】
［データ構造］
図４を参照して、本実施の形態に係る携帯電話１００のデータ構造について説明する。図４は、携帯電話１００が備えるデータ記憶部２１３におけるデータの格納の一態様を概念的に表わす図である。データ記憶部２１３は、ビジネス電話帳４１０と、プライベート電話帳４２０と、番号検索４３０とを含む。
【００５３】
ビジネス電話帳４１０は、たとえば固定電話１１０にも登録されているような業務に用いられる電話番号を含む。プライベート電話帳４２０は、携帯電話１００のユーザが個人的に使用するための電話番号を含む。
【００５４】
番号検索４３０は、他の通信装置（たとえば第２携帯電話１０２または第３携帯電話１０３もしくは固定電話１１０による電話番号の検索要請を受け付けるか否かを規定するパラメータである。番号検索４３０がたとえば「ＯＫ」として設定されている場合には、携帯電話１００の主制御装置２１０は、無線制御部２２７を介して与えられる他の通信装置からの問い合わせに応答して、当該問い合わせによって指定された電話番号がデータ記憶部２１３に登録されているか否かを確認する。
【００５５】
図５を参照して、本実施の形態に係る固定電話１１０のデータ構造について説明する。図５は、固定電話１１０が備えるデータ記憶部３１４におけるデータの格納の一態様を概念的に表わす図である。データ記憶部３１４は、ビジネス電話帳５１０と番号検索とを含む。
【００５６】
ビジネス電話帳５１０は、固定電話１１０の所有者（たとえば事業者）によって用いられる通話相手の電話番号に相当する。
【００５７】
番号検索５２０は、他の固定電話または携帯電話１００による問い合わせによって指定された電話番号が当該固定電話１１０に登録されているか否かの検索を実行するか否かを規定するパラメータである。たとえば、番号検索５２０が「ＯＫ」として設定されている場合には、第１固定電話１１１の主制御装置３１０は、携帯電話１００からの問い合わせによって指定される電話番号が第１固定電話１１１の電話帳に登録されているか否かを確認するための検索処理を実行し、その検索結果を当該携帯電話１００に返信する。
【００５８】
［機能構成］
（１）  ある局面において、第１携帯電話１０１の主制御装置２１０は、発呼の指示に基づいて、無線制御部２２７を介して、第１携帯電話１０１との通信リンクが予め形成された１つ以上の固定電話１１０のうちの第１固定電話１１１に発呼先の電話番号を送信する。通信リンクは、たとえば、Bluetooth、ＷｉＦｉ（登録商標：Wireless  Fidelity）その他の無線通信技術によって予め関連付けがなされているものである。
【００５９】
電話番号が第１固定電話１１１に登録されている場合には、主制御装置２１０は、電話番号による発呼を第１固定電話１１１に行なわせる。たとえば、主制御装置２１０は、無線制御部２２７を介して当該電話番号および発呼要求を第１固定電話１１１に送信する。第１固定電話１１１が通話相手に接続すると、第１携帯電話１０１のユーザは、第１固定電話１１１を経由して、当該通話相手と通話できる。
【００６０】
電話番号が第１固定電話１１１に登録されていない場合には、主制御装置２１０は、電話番号が１つ以上の固定電話のうちの残りの固定電話（たとえば、第２固定電話１１２、第３固定電話１１３）または１つ以上の他の携帯電話（第２携帯電話１０２、第３携帯電話１０３）に登録されているか否かを、無線制御部２２７を介して当該残りの固定電話または当該１つ以上の他の携帯電話に問い合わせる。電話番号が残りの固定電話または１つ以上の他の携帯電話に登録されている場合には、主制御装置２１０は、電話番号による発呼を１つ以上の固定電話のいずれかに行なわせる。この場合、第１携帯電話１０１のユーザは、電話番号が登録されている固定電話または携帯電話を介して、当該電話番号により特定される相手と通話できる。なお、このように他の固定電話または携帯電話を経由する通話は、固定電話または携帯電話の所有者または使用者の許可が予め得られている場合にのみ可能となるように設定されていてもよい。
【００６１】
（２）  より詳しくは、電話番号が第１固定電話１１１に登録されていない場合において、主制御装置２１０は、第１固定電話１１１に対して、電話番号が１つ以上の固定電話のうちの残りの固定電話（たとえば、第２固定電話１１２、第３固定電話）に登録されているか否かの問い合わせを行なう。無線制御部２２７は、問い合わせに対する回答として、電話番号が登録されている固定電話を識別する固定電話識別データを受けると、固定電話識別データに基づいて電話番号が登録されている固定電話との通信を形成する。固定電話識別データは、たとえば、製品シリアル番号、ネットワークにおけるノード番号その他、当該固定電話を少なくとも通信システム１０で識別可能なデータである。主制御装置２１０は、電話番号が登録されている固定電話に、電話番号による発呼を行わせる。
【００６２】
（３）  他の局面において、電話番号が第１固定電話１１１に登録されていない場合において、主制御装置２１０は、１つ以上の他の携帯電話（たとえば、第２携帯電話１０２、第３携帯電話１０３）に対して、電話番号が１つ以上の他の携帯電話のうちのいずれかに登録されているか否かの問い合わせを行なう。無線制御部２２７は、問い合わせに対する回答として、電話番号が登録されている携帯電話を特定する端末識別データを受けると、端末識別データによって特定される携帯電話にリンクしている固定電話に、電話番号が登録されているか否かを問い合わせる。端末識別データは、たとえば、製品シリアル番号、ネットワークにおけるノード番号その他、当該携帯電話を少なくとも通信システム１０で識別可能なデータである。
【００６３】
電話番号が携帯電話にリンクしている固定電話に登録されている場合に、主制御装置２１０は、無線制御部２２７を介して、当該固定電話に電話番号による発呼を行わせる。
【００６４】
（４）  第１携帯電話１０１と１つ以上の他の携帯電話（たとえば、第２携帯電話１０２、第３携帯電話）との間で電話番号が登録されているか否かの問い合わせが許可されている場合に、第１携帯電話１０１の主制御装置２１０は、当該１つ以上の他の携帯電話に対して、問い合わせを行なう。当該許可は、上述の設定の内容によって規定される。
【００６５】
（５）  電話番号が当該１つ以上の他の携帯電話に登録されていない場合には、第１携帯電話１０１の主制御装置２１０は、第１携帯電話１０１および当該１つ以上の他の携帯電話に電話番号が登録されていない旨を、第１携帯電話１０１のＬＣＤ２１７に表示する。
【００６６】
［動作例］
図６を参照して、本実施の形態に係る通信システム１０の１つの動作例について説明する。図６は、複数の携帯電話が１つの固定電話と無線通信可能に構成されている場合を表わす図である。
【００６７】
たとえば、第１携帯電話１０１がデータ記憶部２１３に登録されている電話番号「０６１１１１ｘｘｘｘ」に発呼する場合、その発呼指示は、第１携帯電話１０１から第１固定電話１１１に送られる。この電話番号「０６１１１１ｘｘｘｘ」は、第１固定電話１１１の電話帳に登録されているため、第１固定電話１１１は、固定電話の回線を用いて指定された番号に対する発呼を行なう。
【００６８】
次に、第１携帯電話１０１のユーザが電話番号「０５１１１１ｘｘｘｘ」をダイヤルすると、この番号は、第１携帯電話１０１から第１固定電話１１１に送られる。この番号は、第１携帯電話１０１には登録されていないが、第１固定電話１１１と、第１固定電話１１１と通信リンクが形成されている第２携帯電話１０２の電話帳に登録されているため、第１固定電話１１１は、固定回線を通じて発呼する。
【００６９】
また、ユーザが、電話番号「０３１１１１ｙｙｙｙ」をダイヤルした場合、この番号は、第１固定電話１１１、第２携帯電話１０２、第３携帯電話１０３のいずれの電話帳にも登録されていない。その結果、第１携帯電話１０１は、いずれの固定電話または携帯電話にも登録されていない電話番号に対して発呼しようとしている旨の警告メッセージを表示する。その後、ユーザが、警告メッセージに対して承諾である旨を入力すると、第１携帯電話１０１は、無線通信制御部２２４を介して、移動体通信網を経由して当該電話番号に対して発呼する。一方、ユーザが警告メッセージに対して終了を入力すると、第１携帯電話１０１は、当該電話番号に対する発呼を中止する。
【００７０】
［制御構造］
図７および図８を参照して、本実施の形態に係る通信システム１０の制御構造について説明する。図７は、第１携帯電話１０１と第１固定電話１１１が実行する処理の一部を表わすフローチャートである。当該処理は、第１携帯電話１０１に格納されたプログラムおよび第１固定電話１１１に格納されたプログラムが実行されることにより実現される。他の局面において、各処理の一部または全部が、当該処理を実現するために構成された回路素子その他のハードウェアによっても実現され得る。
【００７１】
ステップＳ７１０にて、第１携帯電話１０１と第１固定電話１１１とは、Bluetoothその他の無線通信規格に基づいて無線接続を行なう。
【００７２】
ステップＳ７１５にて、第１携帯電話１０１の主制御装置２１０は、操作部２１９に対して与えられる発呼指示に基づいて、無線制御部２２７に対して指示された電話番号による発呼を指令する。無線制御部２２７は、その指令に基づいて当該電話番号が第１固定電話１１１に登録されているか否かの問い合わせを、第１固定電話１１１に無線送信する。
【００７３】
ステップＳ７２０にて、第１固定電話１１１の主制御装置３１０は、第１携帯電話１０１から発信される電話番号が第１携帯電話１０１の電話帳に既に登録されているか否かを判断する。主制御装置３１０は、その電話番号が第１携帯電話１０１の電話帳に既に登録されていると判断すると（ステップＳ７２０にてＹＥＳ）、制御をステップＳ７３０に切り換える。そうでない場合には（ステップＳ７２０にてＮＯ）、主制御装置３１０は、制御をステップＳ７４０に切り換える。
【００７４】
ステップＳ７３０にて、第１固定電話１１１の主制御装置３１０は、その電話番号と第１固定電話１１１に登録されている電話帳内の番号とを比較する。
【００７５】
ステップＳ７３５にて、主制御装置３１０は、発呼が指示された電話番号が第１固定電話１１１の電話帳に登録されているか否かを判断する。主制御装置３１０は、その電話番号が第１固定電話１１１に登録されていると判断すると（ステップＳ７３５にてＹＥＳ）、制御をステップＳ７５０に切り換える。そうでない場合には（ステップＳ７３５にてＮＯ）、主制御装置３１０は、制御をステップＳ７７０に切り換える。
【００７６】
ステップＳ７４０にて、主制御装置３１０は、第１固定電話１１１が含まれる同一ネットワーク内に第１携帯電話１０１が発信しようとした電話番号が登録されている他の携帯電話が存在するか否かを判断する。この判断は、たとえば、主制御装置３１０が無線通信部３１６を介して他の携帯電話１０２，１０３に対して問い合わせることにより行なわれる。問い合わせは、たとえば、ブロードキャスト問い合わせが用いられる。
【００７７】
ステップＳ７４５にて、主制御装置３１０は、当該電話番号に一致した番号がある他の携帯電話が存在するか否かを判断する。主制御装置３１０は、当該他の携帯電話が存在すると判断すると（ステップＳ７４５にてＹＥＳ）、制御をステップＳ７５０に切り換える。そうでない場合には（ステップＳ７４５にてＮＯ）、主制御装置３１０は、制御をステップＳ７６０に切り換える。
【００７８】
ステップＳ７５０にて、第１固定電話１１１の主制御装置３１０は、電話回線３４０を介して第１携帯電話１０１によって指示された電話番号に対する発呼動作を行なう。
【００７９】
ステップＳ７６０にて、第１携帯電話１０１の主制御装置２１０は、たとえばＬＣＤ２１７に対してメッセージを表示することにより、各携帯電話に登録されていない電話番号に対して発呼しようとしている旨を警告する。
【００８０】
ステップＳ７６５にて、主制御装置２１０は、操作部２１９に対する入力に基づいて、ステップＳ７６０における警告に対する承諾の入力があったか否かを判断する。主制御装置２１０は、当該承諾の入力があったと判断すると（ステップＳ７６５にてＹＥＳ）、制御をステップＳ７７０に切り換える。そうでない場合には（ステップＳ７６５にてＮＯ）、主制御装置２１０は、制御をステップＳ７８０に切り換える。
【００８１】
ステップＳ７７０にて、第１携帯電話１０１の主制御装置２１０は、無線通信制御部２２４を介して指示された電話番号に対する発信を行なう。
【００８２】
ステップＳ７８０にて、主制御装置２１０は、発信を中止する。
図８は、複数の固定電話が通信システム１０に用いられる場合における処理を表わすフローチャートである。なお、図７に示される処理と同一の処理には同一のステップ番号を付してある。したがって、そのような処理の説明は繰り返さない。図８に示される処理も、第１携帯電話１０１に格納されたプログラムおよび第１固定電話１１１に格納されたプログラムが実行されることにより実現される。他の局面において、各処理の一部または全部が、当該処理を実現するために構成された回路素子その他のハードウェアによっても実現され得る。
【００８３】
ステップＳ８１５にて、第１携帯電話１０１は、操作部２１９に対する操作に基づいて指定された取引先Ａに発信する。
【００８４】
ステップＳ８２０にて、第１固定電話１１１の主制御装置３１０は、第１携帯電話１０１から送られる無線信号に基づいて、発信が指示された電話番号と第１固定電話１１１に格納されている電話帳に含まれる番号とを比較する。
【００８５】
ステップＳ８３０にて、主制御装置３１０は、第１固定電話１１１に取引先Ａの番号が登録されているか否かを判断する。主制御装置３１０は、取引先Ａの電話番号が第１固定電話１１１に登録されていると判断すると（ステップＳ８３０にてＹＥＳ）、制御をステップＳ８５０に切り換える。そうでない場合には（ステップＳ８３０にてＮＯ）、主制御装置３１０は、制御をステップＳ８３５に切り換える。
【００８６】
ステップＳ８３５にて、主制御装置３１０は、第１固定電話１１１の近隣にある第２固定電話１１２または第３固定電話１１３の各電話帳に取引先Ａの電話番号が登録されているか否かを確認する。
【００８７】
ステップＳ８４０にて、主制御装置３１０は、第２固定電話１１２または第３固定電話１１３の電話帳に取引先Ａの電話番号が登録されていると判断すると（ステップＳ８４０にてＹＥＳ）、制御をステップＳ８５０に切り換える。そうでない場合には（ステップＳ８４０にてＮＯ）、主制御装置３１０は、制御をステップＳ８６０に切り換える。
【００８８】
ステップＳ８５０にて、主制御装置３１０は、電話制御装置３１８を制御することにより、固定電話用の電話回線３４０を介して第１携帯電話１０１によって指示された電話番号に発信する。
【００８９】
ステップＳ８６０にて、第１携帯電話１０１の主制御装置２１０は、いずれの固定電話にも登録されていない電話番号に対して発呼されている旨を、たとえばＬＣＤ２１７に表示することにより警告する。
【００９０】
ステップＳ８６５にて、主制御装置２１０は、操作部２１９からの信号に基づいて、当該警告に対する承諾の入力があったか否かを判断する。主制御装置２１０は、承諾の入力があったと判断すると（ステップＳ８６５にてＹＥＳ）、制御をステップＳ８７０に切り換える。そうでない場合には（ステップＳ８６５にてＮＯ）、主制御装置２１０は、制御をステップＳ８８０に切り換える。
【００９１】
ステップＳ８７０にて、主制御装置２１０は、第１携帯電話１０１の無線通信制御部２２４を介して、ユーザによって指定された電話番号に発信する。
【００９２】
ステップＳ８８０にて、主制御装置２１０は、指定された電話番号に対する発信を中止する。
【００９３】
図９を参照して、携帯電話１００における画面の表示態様について説明する。図９は、ＬＣＤ２１７における画面の切り換わりを表わす図である。
【００９４】
画面Ａは、携帯電話１００に対して電話番号が入力された状態を表わす。たとえば、携帯電話１００のユーザが、タッチ操作によりまたは着信履歴に基づいて電話番号を入力すると、ＬＣＤ２１７は、画面Ａを表示する。
【００９５】
画面Ｂは、同じ電話番号が第１固定電話１１１に登録されているため、第１固定電話１１１から発信することを示す図である。たとえば、ステップＳ７５０の処理が行われる場合に、ＬＣＤ２１７は、画面Ｂを表示する。
【００９６】
画面Ｃは、第１携帯電話１０１に直接リンクする第１固定電話１１１には登録されていないが同じネットワーク内に含まれる第２固定電話１１２に登録されている場合に、ＬＣＤ２１７が画面Ｃを表示する。この場合、第２固定電話１１２の着信を受ける通話相手は、よく知っている相手（すなわち第２固定電話１１２の電話番号）から電話を受けたことを知ることができる。
【００９７】
画面Ｄは、発信が指示された電話番号がいずれの携帯電話または固定電話にも登録されていないため、警告している状態を表わす図である。たとえば、ステップＳ７６０またはＳ８６０の処理が実行されると、ＬＣＤ２１７は画面Ｄを表示する。
【００９８】
画面Ｅは、承諾の入力が行なわれたため、第１携帯電話１０１から直接発信されることを通知する画面である。たとえば、ステップＳ７７０またはＳ８７０の処理が実行されると、ＬＣＤ２１７は、画面Ｅを表示する。
【００９９】
画面Ｆは、第１携帯電話１０１のユーザが承諾を入力しなかったため、発信を中止することを示す画面である。たとえば、ステップＳ７８０またはＳ８８０が実行される場合に、ＬＣＤ２１７は、画面Ｆを表示する。
【０１００】
［まとめ］
以上のようにして、本実施の形態に係る通信システム１０によると、第１携帯電話１０１は、電話番号が入力され、または選択されると、無線通信リンクが形成された第１固定電話１１１に電話番号を送信する。第１固定電話１１１は当該電話番号が登録されているか否かを確認する。当該電話番号が登録されている場合には、第１固定電話１１１が発呼する。当該電話番号が登録されていない場合には、他の携帯電話または固定電話の電話帳が参照される。たとえば、第１携帯電話１０１または第１固定電話１１１が通信可能な他の携帯電話または固定電話に、入力または選択された電話番号が登録されているか否かを問い合わせる。当該電話番号がいずれかの携帯電話または固定電話に登録されている場合には、その携帯電話または固定電話から発呼する。このようにすると、第１携帯電話１０１のユーザは、たとえば業務目的の使用時には、既に電話番号が登録されている電話機から発呼することができるので、電話を受ける相手も、発呼者を容易に認識することができる。これにより、発呼者および応対者のいずれにとっても利便性が向上する。また、第１携帯電話１０１のユーザは、普段使用する第１携帯電話１０１を用いて、第１携帯電話１０１に登録されていない取引相手に発呼することもできるので、利便性が向上し得る。
【０１０１】
なお、他の局面において、たとえば、ユーザが外出先から取引先に発信する際、いわゆる３Ｇ（第３世代）の通信ネットワークを介してユーザが勤務する会社のネットワーク対応の固定電話に一旦接続し、その後、電話帳を比較し、携帯電話から発信または固定電話から発信を選択する構成が用いられてもよい。
【０１０２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０３】
１０  通信システム、１００  携帯電話、１０１  第１携帯電話、１０２  第２携帯電話、１０３  第３携帯電話、１１０  固定電話、１１１  第１固定電話、１１２  第２固定電話、１１３  第３固定電話、２１０，３１０  主制御装置、２１１，３１２  ＲＡＭ、２１２，３１１，３１３  ＲＯＭ、２１３，３１４  データ記憶部、２１４，３１５  スピーカ、２１５  マイク、２１６，３２１  表示処理部、２１８，３２３  バックライト、２１９，３２４  操作部、２２０，３２５  キー制御部、２２１  音声コーデック、２２２  角速度センサ、２２３  加速度センサ、２２４  無線通信制御部、２２５  画像コーデック、２２６  メモリカード制御部、２２７  無線制御部、２２８  充電制御部、２３０，３３０  バス、３１６  無線通信部、３１７  携帯電話コマンド制御部、３１８  電話制御装置、３１９  音声制御部、３２０  信号制御部、３４０  電話回線、４１０，５１０  ビジネス電話帳、４２０  プライベート電話帳、４３０，５２０  番号検索。
【図１】
2014007557.tif 000003
【図２】
2014007557.tif 000004
【図３】
2014007557.tif 000005
【図４】
2014007557.tif 000006
【図５】
2014007557.tif 000007
【図６】
2014007557.tif 000008
【図７】
2014007557.tif 000009
【図８】
2014007557.tif 000010
【図９】
2014007557.tif 000011